(57)【要約】  本明細書は、正極バスバと負極バスバの変形を抑える。電力変換器２は、パワーモジュール８の端子２５ａとコンデンサ６０を接続する第１バスバ３０を備えている。第１バスバ３０は、第１平板３１と、第１平板３１に設けられている複数の第１孔３２と、それぞれの第１孔３２の縁から延びている第１枝部３３を備えている。第１平板３１のコンデンサ６０から遠い側の縁に補強リブ３８が設けられている。補強リブ３８が、Ｙ方向からみたときの第１平板３１の変形を抑える。
2021014512.tif 000002
【特許請求の範囲】
【請求項１】
電力変換用のスイッチング素子を収容しており、前記スイッチング素子と導通している第１端子と第２端子が側面から延びている複数のパワーモジュールが第１方向にて積層されている積層ユニットと、
前記積層ユニットの隣りに配置されているコンデンサと、
複数の前記パワーモジュールの前記第１端子と接合しているとともに、前記コンデンサの一方の電極と接続している第１バスバと、
複数の前記パワーモジュールの前記第２端子と接合しているとともに、前記コンデンサの他方の電極と接続している第２バスバと、
を備えており、
複数の前記パワーモジュールの前記第１端子は、前記第１方向に沿って一列に並んでおり、複数の前記第２端子は、前記第１端子の列と平行に一列に並んでおり、
前記第１バスバは、前記コンデンサから前記パワーモジュールの前記側面に沿って延びている第１平板と、前記第１平板に設けられている複数の第１孔であってそれぞれに前記第１端子が通過している複数の第１孔と、それぞれの前記第１孔の縁から延びており、それぞれの前記第１端子と接続されている複数の第１枝部と、を備えており、
前記第２バスバは、前記コンデンサから前記第１平板と平行に延びている第２平板と、前記第２平板に設けられている複数の第２孔であってそれぞれに前記第２端子が通過している複数の第２孔と、それぞれの前記第２孔の縁から延びており、それぞれの前記第２端子と接続されている複数の第２枝部と、を備えており、
前記第１平板の前記コンデンサから遠い側の縁に第１リブが設けられている、電力変換器。
【請求項２】
前記第１方向に延びている前記第２平板の縁であって前記コンデンサから遠い側の縁に第２リブが設けられており、前記第１リブと前記第２リブは、互いに離間する方向に延びている、請求項１に記載の電力変換器。
【請求項３】
前記第１平板と前記第１リブは一枚の金属板で作られている、請求項１または２に記載の電力変換器。
【請求項４】
前記第１リブは前記第１平板に達する切欠を備えている、請求項１から３のいずれか１項に記載の電力変換器。
【請求項５】
前記第１リブは複数の前記切欠を備えている、請求項４に記載の電力変換器。
【請求項６】
前記第１リブは、第１電力変換回路に用いられている第１の前記パワーモジュールと、第２電力変換回路に用いられている第２の前記パワーモジュールとの間に設けられている、請求項４または５に記載の電力変換器。
【発明の詳細な説明】
【技術分野】
【０００１】
本明細書が開示する技術は、電力変換器に関する。特に、複数のパワーモジュールが積層されている積層ユニットとコンデンサがバスバで接続されている電力変換器に関する。
【背景技術】
【０００２】
上記した電力変換器が例えば特開２０１８−０４２４２４号公報（文献１）、特開２０１８−０４２３０９号公報（文献２）、特開２０１８−０２６８８５号公報（文献３）に開示されている。各パワーモジュールは、１個あるいは複数個の電力変換用のスイッチング素子を収容している。パワーモジュールが有する端子とコンデンサを電気的に接続する導体はバスバと呼ばれることがある。パワーモジュールとコンデンサは、２個のバスバで接続される。【０００３】
文献１と文献２に開示された電力変換器は、次の構造を有している。積層ユニットに含まれている各パワーモジュールには電力変換用のスイッチング素子が収容されている。各パワーモジュールの側面から、スイッチング素子と導通している第１端子と第２端子が延びている。コンデンサは積層ユニットの隣りに配置されている。複数のパワーモジュールの第１端子とコンデンサの一方の電極は第１バスバで接続されている。複数のパワーモジュールの第２端子とコンデンサの他方の電極は第２バスバで接続されている。【０００４】
第１バスバは、第１平板と、複数の第１孔と、複数の第１枝部を備えている。第１平板は、コンデンサからパワーモジュールの側面に沿って延びている。複数の第１孔は、第１平板に設けられている。複数の第１孔のそれぞれに、対応するパワーモジュールの第１端子が通過している。それぞれの第１枝部は、対応する第１孔の縁から第１端子に沿って延びており、第１端子と接続されている。第２バスバは、第１バスバと同様の構造を有しており、第２平板と、複数の第２孔と、複数の第２枝部を備えている。それぞれの第２孔に第２端子が通過しており、それぞれの第２枝部にそれぞれの第２端子が接続されている。第１バスバと第２バスバは、具体的には、コンデンサの正極と接続される正極バスバと、コンデンサの負極と接続される負極バスバである。【０００５】
以下では、説明の便宜上、複数のパワーモジュールの積層方向を第１方向と称する。文献１に開示されている電力変換器では、第１平板と第２平板は、第１方向の両端にリブを備えている。リブを備えることで第１平板と第２平板の剛性が向上し、第１平板と第２平板の変形が抑えられる。
【発明の概要】
【０００６】
以下では、説明の便宜上、第１方向に直交するとともに第１平板に対して平行な方向を第２方向と称する。上記のリブにより、第１方向から見たときの第１平板（第２平板）の変形は抑えられる。しかしながら、上記のリブは、第２方向から見たときの第１平板（第２平板）の変形抑制には大きく寄与しない。本明細書は、積層ユニットの複数の第１端子（第２端子）とコンデンサを接続する第１バスバ（第２バスバ）の第１平板（第２平板）の変形（特に第２方向かみたときの変形）を抑える技術を提供する。
【０００７】
本明細書が開示する電力変換器は、複数のパワーモジュールが積層されている積層ユニットと、積層ユニットの隣りに配置されているコンデンサと、第１バスバと、第２バスバを備えている。それぞれのパワーモジュールは、電力変換用のスイッチング素子を収容している。スイッチング素子と導通している第１端子と第２端子が、パワーモジュールの側面から延びている。複数のパワーモジュールの第１端子は、パワーモジュールの積層方向（第１方向）に沿って一列に並んでおり、複数の第２端子は、第１端子の列と平行に一列に並んでいる。
【０００８】
第１バスバは、複数のパワーモジュールの第１端子と接合しているとともに、コンデンサの一方の電極と接続している。第１バスバは、コンデンサからパワーモジュールの側面（第１端子と第２端子が設けられている側面）に沿って延びている第１平板を含んでいる。第１平板には、複数の第１孔と複数の第１枝部が設けられている。複数の第１孔のそれぞれを第１端子が通過する。それぞれの第１枝部は、それぞれの第１孔の縁から延びており、それぞれの第１端子と接続されている。
【０００９】
第２バスバは、複数のパワーモジュールの第２端子と接合しているとともに、コンデンサの他方の電極と接続している。第２バスバは、コンデンサから第１平板と平行に延びている第２平板を含んでいる。第２平板には、複数の第２孔と複数の第２枝部が設けられている。複数の第２孔のそれぞれを第２端子が通過する。それぞれの第２枝部は、それぞれの第２孔の縁から延びており、それぞれの第２端子と接続されている。
【００１０】
第１平板のコンデンサから遠い側の縁に第１リブが設けられている。この第１リブにより、第２方向からみたときの第１平板の変形が抑えられる。第２平板のコンデンサから遠い側の縁に第２リブが設けられていてもよい。第２リブは、第２方向からみたときの第２平板の変形を抑える。第１リブと第２リブは、第３方向に沿ってそれぞれの平板から延びている。第３方向は、第１方向と第２方向の両方に直交する方向である。第１リブと第２リブは、第３方向で互いに離間する方向に延びている。互いに離間する方向に延びる第１リブと第２リブは相互に干渉することがない。
【００１１】
本明細書が開示する技術の詳細とさらなる改良は以下の「発明を実施するための形態」にて説明する。
【図面の簡単な説明】
【００１２】
【図１】実施例の電力変換器を含む電気自動車の電力系のブロック図である。
【図２】積層ユニットとバスバとコンデンサユニットのアセンブリの斜視図である。
【図３】アセンブリの分解斜視図である。
【図４】変形例の電力変換器のアセンブリの斜視図である。
【図５】図４における切欠の近傍の拡大図である。
【実施例】
【００１３】
図面を参照して実施例の電力変換器を説明する。実施例の電力変換器は電気自動車に搭載されるデバイスである。電力変換器は、バッテリの電力を走行用モータの駆動電力に変換する。図１に、電力変換器２を含む電気自動車１００の電力系のブロック図を示す。電気自動車１００は、２個の走行用モータ８３ａ、８３ｂを備える。それゆえ、電力変換器２は、２セットのインバータ回路１３ａ、１３ｂを備える。なお、２個のモータ８３ａ、８３ｂの出力は、ギアボックス８５で合成／分配されて車軸８６（即ち駆動輪）へと伝達される。【００１４】
電力変換器２は、システムメインリレー８２を介してバッテリ８１と接続されている。電力変換器２は、バッテリ８１の電圧を昇圧する電圧コンバータ回路１２と、昇圧後の直流電力を交流に変換する２セットのインバータ回路１３ａ、１３ｂを備えている。【００１５】
電圧コンバータ回路１２は、昇圧動作と降圧動作の双方を行うことが可能な双方向ＤＣ−ＤＣコンバータである。昇圧動作では、電圧コンバータ回路１２は、バッテリ側の端子に印加された電圧を昇圧してインバータ側の端子に出力する。降圧動作では、電圧コンバータ回路１２は、インバータ側の端子に印加された電圧を降圧してバッテリ側の端子に出力する。説明の便宜上、以下では、バッテリ側（低電圧側）の端子を入力端１８と称し、インバータ側（高電圧側）の端子を出力端１９と称する。また、入力端１８の正極と負極を夫々、入力正極端１８ａと入力負極端１８ｂと称する。出力端１９の正極と負極を夫々、出力正極端１９ａと出力負極端１９ｂと称する。「入力端１８」、「出力端１９」との表記は説明の便宜を図るためのものであり、先に述べたように、電圧コンバータ回路１２は双方向ＤＣ−ＤＣコンバータであるので、出力端１９から入力端１８へ電力が流れる場合がある。【００１６】
電圧コンバータ回路１２は、２個のスイッチング素子９ａ、９ｂの直列回路、リアクトル７、フィルタコンデンサ５、各スイッチング素子に逆並列に接続されているダイオードで構成されている。リアクトル７は、一端が入力正極端１８ａに接続されており、他端は直列回路の中点に接続されている。フィルタコンデンサ５は、入力正極端１８ａと入力負極端１８ｂの間に接続されている。入力負極端１８ｂは、出力負極端１９ｂと直接に接続されている。スイッチング素子９ｂが主に昇圧動作に関与し、スイッチング素子９ａが主に降圧動作に関与する。図１の電圧コンバータ回路１２はよく知られているので詳細な説明は省略する。【００１７】
符号８ａが示す破線矩形の範囲の回路が、後述するパワーモジュール８ａに対応する。符号２５ａ、２５ｂは、パワーモジュール８ａから延出している端子を示している。符号２５ａは、スイッチング素子９ａ、９ｂの直列回路の高電位側と導通している端子（正極端子２５ａ）を示している。符号２５ｂは、スイッチング素子９ａ、９ｂの直列回路の低電位側と導通している端子（負極端子２５ｂ）を表している。次に説明するように、正極端子２５ａ、負極端子２５ｂという表記は、他のパワーモジュールでも用いる。なお、２個のスイッチング素子の直列接続の中点に接続される端子は中点端子と称する。【００１８】
インバータ回路１３ａは、２個のスイッチング素子の直列回路が３セット並列に接続された構成を有している。スイッチング素子９ｃと９ｄ、スイッチング素子９ｅと９ｆ、スイッチング素子９ｇと９ｈがそれぞれ直列回路を構成している。各スイッチング素子にはダイオードが逆並列に接続されている。３セットの直列回路の高電位側の端子（正極端子２５ａ）が電圧コンバータ回路１２の出力正極端１９ａに接続されており、３セットの直列回路の低電位側の端子（負極端子２５ｂ）が電圧コンバータ回路１２の出力負極端１９ｂに接続されている。３セットの直列回路の中点端子から３相交流（Ｕ相、Ｖ相、Ｗ相）が出力される。３セットの直列回路の夫々が、後述するパワーモジュール８ｂ、８ｃ、８ｄに対応する。【００１９】
インバータ回路１３ｂの構成はインバータ回路１３ａと同じであるため、図１では具体的な回路の図示を省略している。インバータ回路１３ｂもインバータ回路１３ａと同様に、２個のスイッチング素子の直列回路が３セット並列に接続された構成を有している。３セットの直列回路の高電位側の端子が電圧コンバータ回路１２の出力正極端１９ａに接続されており、３セットの直列回路の低電位側の端子が電圧コンバータ回路１２の出力負極端１９ｂに接続されている。各直列回路に対応するハードウエアをパワーモジュール８ｅ、８ｆ、８ｇと称する。【００２０】
インバータ回路１３ａ、１３ｂの入力端に平滑コンデンサ６が並列に接続されている。平滑コンデンサ６は、別言すれば、電圧コンバータ回路１２の出力端１９に並列に接続されている。平滑コンデンサ６は、電圧コンバータ回路１２の出力電流の脈動を除去する。【００２１】
スイッチング素子９ａ−９ｈは、トランジスタであり、典型的にはＩＧＢＴ（Insulated Gate Bipolar Transistor）であるが、他のトランジスタ、例えば、ＭＯＳＦＥＴ（Metal Oxide Semiconductor Field Effect Transistor）であってもよい。また、ここでいうスイッチング素子は、電力変換に用いられるものであり、パワー半導体素子と呼ばれることもある。【００２２】
図１において、破線８ａ−８ｇの夫々がパワーモジュールに相当する。電力変換器２は、２個のスイッチング素子の直列回路を７セット備えている。ハードウエアとしては、直列回路を構成する２個のスイッチング素子、および各スイッチング素子に逆並列に接続されているダイオードが一つのパッケージ（パワーモジュールの本体）に収容されている。以下では、パワーモジュール８ａ−８ｇのいずれか一つを区別なく示すときにはパワーモジュール８と表記する。【００２３】
７個のパワーモジュール（７セットの直列回路）の高電位側の端子（正極端子２５ａ）が平滑コンデンサ６の正電極に接続され、低電位側の端子（負極端子２５ｂ）が平滑コンデンサ６の負電極に接続される。図１において、符号３０が示す破線内の導電経路は、複数のパワーモジュール８の正極端子２５ａと平滑コンデンサ６の正電極を相互に接続するバスバ（正極バスバ）に対応する。符号４０が示す破線内の導電経路は、複数の負極端子２５ｂと平滑コンデンサ６の負電極を相互に接続するバスバ（負極バスバ）に対応する。次に、複数のパワーモジュール８と正極バスバ３０、負極バスバ４０の構造について説明する。【００２４】
図２に、電力変換器２のハードウエアの斜視図を示す。なお、図２では、電力変換器２のハウジングと一部の部品の図示を省略している。複数のパワーモジュール８（８ａ−８ｇ）は、複数の冷却器２２とともに積層ユニット２０を構成している。パワーモジュール８ａ−８ｇは全て同じ形状であるので、図２と図３では、左端のパワーモジュールにのみ、符号８を付し、他のパワーモジュールには符号を省略した。また、図２と図３では、左端の２個の冷却器にのみ、符号２２を付し、他の冷却器には符号を省略した。図３については後述する。【００２５】
図２は、電力変換器２の斜視図であるが、積層ユニット２０、正極バスバ３０、負極バスバ４０、及び、コンデンサユニット６０のアセンブリのみを描いてあり、他の部品は図示を省略した。積層ユニット２０において、複数のパワーモジュール８は積層されている。積層ユニット２０は、複数のカードタイプの冷却器２２が平行に配置されているとともに、隣り合う冷却器２２の間にカードタイプのパワーモジュール８が挟まれているデバイスである。カードタイプのパワーモジュール８は、その幅広面を冷却器２２に対向させている。図中の座標系のＸ方向が複数のパワーモジュール８の積層方向に相当する。以降の図でも、Ｘ方向が積層方向を示す。【００２６】
各パワーモジュール８の一つの側面８０ａから３個の端子（正極端子２５ａ、負極端子２５ｂ、中点端子２５ｃ）が延びている。図２と図３では、積層ユニット２０の左端に位置するパワーモジュール８の端子にのみ符号２５ａ、２５ｂ、２５ｃを付し、残りのパワーモジュール８には端子を示す符号を省略した。【００２７】
正極端子２５ａと負極端子２５ｂは、先に述べたように、パワーモジュール８に収容されている直列回路の高電位側の端子と低電位側の端子である。中点端子２５ｃは、直列回路の中点と導通している端子である。別言すれば、３個の端子２５ａ−２５ｃは、いずれも、パワーモジュール８の内部でスイッチング素子と導通している。３個の端子２５ａ−２５ｃは、パワーモジュール８の幅広面と交差する一側面８０ａから図中のＺ軸正方向に延びている。一側面８０ａの反対側の側面から複数の制御端子が図中のＺ軸負方向に延びている。制御端子は、パワーモジュール８に内蔵されているスイッチング素子のゲート電極と導通しているゲート端子、及び、パワーモジュール８に内蔵されている温度センサや電流センサと導通している信号端子などである。【００２８】
図中の右端の冷却器２２には、冷媒供給口２８と冷媒排出口２９が設けられている。隣接する冷却器２２同士は、２個の連結管で接続されている。一方の連結管は、積層方向からみて冷媒供給口２８と重なるように位置している。他方の連結管は、積層方向からみて冷媒排出口２９と重なるように位置している。冷媒供給口２８と冷媒排出口２９には、不図示の冷媒循環装置が接続される。冷媒供給口２８から供給される冷媒は、一方の連結管を通じて全ての冷却器２２に分配される。冷媒は冷却器２２を通る間に隣接するパワーモジュール８から熱を吸収する。熱を吸収した冷媒は、他方の連結管と冷媒排出口２９を通じて積層ユニット２０から排出される。各パワーモジュール８は、その両側から冷却されるので、積層ユニット２０は冷却性能が高い。【００２９】
各パワーモジュール８の３個の端子２５ａ−２５ｃはいずれも平板状である。複数のパワーモジュール８の正極端子２５ａは、隣接するパワーモジュール８の正極端子２５ａの平坦面と対向するように、Ｘ方向（積層方向）に一列に並んでいる。複数のパワーモジュール８の負極端子２５ｂも、隣接するパワーモジュール８の負極端子２５ｂの平坦面と対向するように、Ｘ方向（積層方向）に一列に並んでいる。複数のパワーモジュール８の中点端子２５ｃも同様である。複数のパワーモジュール８の正極端子２５ａの列と、負極端子２５ｂの列と、中点端子２５ｃの列は、平行である。【００３０】
積層ユニット２０の横にコンデンサユニット６０が配置されている。コンデンサユニット６０は、パワーモジュール８の積層方向（図中のＸ方向）に沿って長い。コンデンサユニット６０は、積層方向と交差する方向（Ｙ方向）で積層ユニット２０と並んでいる。コンデンサユニット６０のケースの中には、２個のコンデンサ素子６１（後述）が収容されている。正極バスバ３０は、複数のパワーモジュール８の夫々の正極端子２５ａと、コンデンサユニット６０の中のコンデンサ素子を接続しており、負極バスバ４０は、複数のパワーモジュール８の夫々の負極端子２５ｂとコンデンサユニット６０の中のコンデンサ素子を接続する。【００３１】
図３に、正極バスバ３０と負極バスバ４０と積層ユニット２０とコンデンサ素子６１（コンデンサユニット６０）のアセンブリの分解斜視図を示す。なお、図２のコンデンサユニット６０には、２個のコンデンサ素子６１が収容されている。図３では、コンデンサユニット６０のケースを省略し、内部のコンデンサ素子６１を描いてある。詳細は割愛するが、コンデンサユニット６０のケースの中でコンデンサ素子６１の周囲は充填材で満たされている。コンデンサ素子６１は、図１の平滑コンデンサ６に相当する。【００３２】
複数のパワーモジュール８の正極端子２５ａとコンデンサ素子６１の正電極６１ａが正極バスバ３０で接続され、複数の負極端子２５ｂとコンデンサ素子６１の負電極６１ｂが負極バスバ４０で接続される。【００３３】
正極バスバ３０は、板状の電極部３９と平板３１を備えている。平板３１には、複数の正極端子孔３２と複数の枝部３３が設けられている。電極部３９が、コンデンサ素子６１の正電極６１ａに接続される。複数の正極端子孔３２は、Ｘ方向に沿って一列に並んでいる。それぞれの正極端子孔３２の縁から枝部３３がＺ方向に延びている。それぞれの正極端子孔３２を対応するパワーモジュール８の正極端子２５ａが通り、その正極端子２５ａと枝部３３が溶接にて接合される。【００３４】
負極バスバ４０は、板状の電極部４９と平板４１を備えている。平板４１には、複数の負極端子孔４２と複数の枝部４３が設けられている。電極部４９が、コンデンサ素子６１の負電極６１ｂに接続される。複数の負極端子孔４２は、Ｘ方向に沿って一列に並んでいる。それぞれの負極端子孔４２の縁から枝部４３がＺ方向に延びている。それぞれの負極端子孔４２を対応するパワーモジュール８の負極端子２５ｂが通り、その負極端子２５ｂと枝部４３が接合される。【００３５】
負極バスバ４０は、正極バスバ３０の積層ユニット２０とは反対側に位置している。負極バスバ４０には、複数の正極端子孔４５が設けられている。それぞれの正極端子孔４５を、パワーモジュール８の正極端子２５ａと、正極バスバ３０の枝部３３が通過する。正極バスバ３０の平板３１と、負極バスバ４０の平板４１は、絶縁板５０（後述）を挟んで平行に配置されているとともに、相互に近接対向している。一方のバスバに電流が流れると、その電流に起因してバスバの周囲に磁界が発生する。磁界の大きさとバスバのインダクタンスには正の相関がある。磁界が大きいほど、インダクタンスも大きくなる。正極バスバ３０の平板３１と負極バスバ４０の平板４１が近接対向していると、一方のバスバの磁界によって他方のバスバに渦電流が生じる。渦電流の発生は、一方のバスバの磁界を弱める。磁界が弱まるということは、インダクタンスが小さくなることを意味する。バスバの平板３１、４１を近接配置することで、バスバのインダクタンスを小さくすることができる。【００３６】
正極バスバ３０と負極バスバ４０の間に絶縁板５０が挟まれている。絶縁板５０は、正極バスバ３０と負極バスバ４０の間を絶縁する。絶縁板５０には、複数の筒部５３が設けられている。絶縁板５０の積層方向（Ｘ方向）の両側には、Ｙ方向に延びているリブ５７が設けられている。図２に示されているように、リブ５７は、正極バスバ３０の補強リブ３７と負極バスバ４０の補強リブ４７の間に挟まれ、両者を絶縁する。補強リブ３７、４７については後述する。【００３７】
絶縁板５０の筒部５３は、負極バスバ４０の正極端子孔４５を通過している。筒部５３の内部を、正極バスバ３０の枝部３３と、パワーモジュール８の正極端子２５ａが通過する。筒部５３は、正極端子２５ａと枝部３３を負極バスバ４０から確実に絶縁する。【００３８】
正極バスバ３０の平板３１の積層方向（Ｘ方向）の両端は、直角に折り曲げられている。直角に折り曲げられた部分を補強リブ３７と称する。負極バスバ４０の平板４１の積層方向（Ｘ方向）の両端も、直角に折り曲げられている。直角に折り曲げられた部分を補強リブ４７と称する。先に述べたように、コンデンサ素子６１は、ケースに収容されるとともに、ケースの中で充填材に埋設される。従って、正極バスバ３０の一部と負極バスバ４０の一部もコンデンサユニット６０のケースの中で充填材に埋設される。当然、電極部３９、４９は、充填材に埋設されることになる。正極バスバ３０の平板３１の一部３１ａも充填材に埋設され、負極バスバ４０の平板４１の一部４１ａも充填材に埋設される。符号３１ｂ、４１ｂが示す箇所は、平板３１、４１のなかでコンデンサユニット６０から露出する露出部である。補強リブ３７の一部３７ａ、補強リブ４７の一部４７ａも、充填材に埋設される。【００３９】
正極バスバ３０（平板３１）のコンデンサ素子６１から最も遠い側の縁にも補強リブ３８が設けられている。補強リブ３８は、平板３１のＸ方向に延びる２個の縁のうち、コンデンサ素子６１から遠い側の縁に設けられている。負極バスバ４０（平板４１）のコンデンサ素子６１から遠い側の縁にも補強リブ４８が設けられている。補強リブ４８は、平板４１のＸ方向に延びる２個の縁のうち、コンデンサ素子６１から遠い側の縁に設けられている。【００４０】
補強リブ３８は、平板３１からーＺ方向に延びている。補強リブ４８は、平板４１から＋Ｚ方向に延びている。すなわち、補強リブ３８と補強リブ４８は、互いに離れる方向に延びている。それゆえ、正極バスバ３０と負極バスバ４０が重なっていても、補強リブ３８と補強リブ４８が干渉することはない。【００４１】
先に述べた補強リブ３７は、正極バスバ３０（平板３１）をＸ方向からみたときの曲げに対する剛性を高める。別言すれば、補強リブ３７は、Ｘ方向に延びる軸回りの正極バスバ３０（平板３１）の変形を抑制する。一方、補強リブ３８は、正極バスバ３０（平板３１）をＹ方向からみたときの曲げに対する剛性を高める。別言すれば、補強リブ３８は、Ｙ方向に延びる軸回りの正極バスバ３０（平板３１）の変形を抑制する。【００４２】
補強リブ４７も同様である。補強リブ４７は、負極バスバ４０（平板４１）をＸ方向からみたときの曲げに対する剛性を高める。別言すれば、補強リブ４７は、Ｘ方向に延びる軸回りの負極バスバ４０（平板４１）の変形を抑制する。補強リブ４８は、負極バスバ４０（平板４１）をＹ方向からみたときの曲げに対する剛性を高める。別言すれば、補強リブ４８は、Ｙ方向に延びる軸回りの負極バスバ４０（平板４１）の変形を抑制する。【００４３】
電力変換器２の製造工程において、正極バスバ３０の枝部３３がパワーモジュール８の正極端子２５ａと接合される。接合の際、枝部３３と正極端子２５ａがチャックで掴まれる。チャックから受ける力により、正極バスバ３０の平板３１が変形するおそれがある。補強リブ３８は、チャックの力に起因する平板３１の変形を抑える。負極バスバ４０についても同様であり、補強リブ４８は、チャックの力（枝部４３と負極端子２５ｂを挟む力）に起因する平板４１の変形を抑える。【００４４】
補強リブ３７、３８は、一枚の平板（平板３１）を折り曲げて作られる。補強リブ４７、４８は、一枚の平板（平板４１）を折り曲げて作られる。【００４５】
図４に、変形例の電力変換器２ａの斜視図を示す。図４は、図２に対応する。なお、図４では、複数のパワーモジュール８のそれぞれに固有の符号（８ａ−８ｇ）を付してある。【００４６】
変形例の電力変換器２ａの補強リブ１３８と補強リブ１４８は、実施例の電力変換器２の補強リブ３８、４８と相違する。補強リブ１３８、１４８を除いて、電力変換器２ａの構造は電力変換器２の構造と同じである。【００４７】
補強リブ１４８は、２カ所の切欠１４９ａ、１４９ｂを有している。図５に、切欠１４９ａの近傍の拡大図を示してある。切欠１４９ａ、１４９ｂは、負極端子孔４２に達している。先に述べたように、補強リブ１４８は、Ｙ方向からみたときの平板４１の変形を抑える。一方、補強リブ１４８を設けることで、平板４１の剛性が高くなり、力を受けたときに局所的に応力が集中するおそれがある。切欠１４９ａ、１４９ｂを設けることで平板４１が力を受けたときの応力集中が緩和される。【００４８】
また、切欠１４９ａは、パワーモジュール８ａとパワーモジュール８ｂの間に設けられている。より詳しくは、切欠１４９ａは、パワーモジュール８ａの中点端子２５ｃとパワーモジュール８ｂの中点端子２５ｃの間に設けられている。図１を用いて説明したように、パワーモジュール８ａは電圧コンバータ回路１２に用いられており、パワーモジュール８ｂはインバータ回路１３ａに用いられている。すなわち、切欠１４９ａは、異なる変換回路に用いられている２個のパワーモジュール８ａ、８ｂの間に設けられている。パワーモジュール８ａ、８ｂのスイッチング素子は相互に独立したタイミングで動作し、スイッチングノイズが互いに干渉する。切欠１４９ａは、相互に独立したタイミングで動作するスイッチング素子のノイズの干渉を低減する。【００４９】
切欠１４９ｂはパワーモジュール８ｄとパワーモジュール８ｅの間に設けられている。より詳しくは、切欠１４９ｂは、パワーモジュール８ｄの中点端子２５ｃとパワーモジュール８ｅの中点端子２５ｃの間に設けられている。パワーモジュール８ｄはインバータ回路１３ａに用いられており、パワーモジュール８ｅはインバータ回路１３ｂに用いられている。パワーモジュール８ｄ、８ｅのスイッチング素子は相互に独立したタイミングで動作し、スイッチングノイズが互いに干渉する。切欠１４９ｂも、相互に独立したタイミングで動作するスイッチング素子のノイズの干渉を低減する。【００５０】
図４では隠れて見えないが、正極バスバ３０の補強リブ１３８にも同様の切欠が設けられている。補強リブ１３８に設けられた切欠も、補強リブ１４８の切欠１４９ａ、１４９ｂと同じ効果を奏する。【００５１】
実施例で説明した技術に関する留意点を述べる。実施例の負極バスバ４０が第１バスバの一例に相当する。負極バスバ４０の平板４１、負極端子孔４２、枝部４３のそれぞれが、第１平板、第１孔、第１枝部の一例に相当する。実施例の正極バスバ３０が第２バスバの一例に相当する。正極バスバ３０の平板３１、正極端子孔３２、枝部３３のそれぞれが、第２平板、第２孔、第２枝部の一例に相当する。補強リブ４８が第１リブの一例に相当する。補強リブ３８が第２リブの一例に相当する。図中の座標系のＸ方向が第１方向に相当し、Ｙ方向が第２方向に相当する。【００５２】
以上、本発明の具体例を詳細に説明したが、これらは例示に過ぎず、請求の範囲を限定するものではない。請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【図１】
2021014512.tif 000003
【図２】
2021014512.tif 000004
【図３】
2021014512.tif 000005
【図４】
2021014512.tif 000006
【図５】
2021014512.tif 000007
【国際調査報告】
2021014512.tif 000008
2021014512.tif 000009